Podtech/llm-jp-corpus-v4-ja_patent huggingface dataset:
【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
ロボット真空掃除機において、
ａ．前面、上面及び底面を有する本体と、
ｂ．前記本体の前面に配置された真空源と、
ｃ．前記本体に取り付けられた複数のセンサ素子であって、ロボット真空掃除機の上部に取り付けられたライダー（ＬＩＤＡＲ）を備えた複数のセンサ素子と、
ｄ．ホロノミック駆動機構を構成する、対角線上に配置された第１の対のホイールアセンブリと、対角線上に配置された第２の対のホイールアセンブリであって、ここで、ホイールは互いに９０度の角度によってオフセットされ、それぞれ、
ｉ．モータ、
ｉｉ．前記モータに接続された駆動輪、
ｉｉｉ．エンコーダ、及び
ｉｖ．モータコントローラ
を備えた複数のホイールアセンブリと、
ｅ．前記駆動輪の動きに対応する前記モータコントローラからのオドメトリデータ、及び複数のセンサからのデータを受信し、前記受信したオドメトリデータと前記複数のセンサからのデータに基づいて、ホイールアセンブリに対して電子ナビゲーション制御を行う主コントローラと、ここで
ｆ．ロボット真空掃除機は、割り当てられた向きを維持しながら、所定の方向に走行し、及び異なる方向に移動することができるように構成されている、
を備えるロボット真空掃除機。
【請求項２】
前記ホイールアセンブリがそれぞれ、前記モータが納まるモータポッドを更に備える請求項１に記載のロボット真空掃除機。
【請求項３】
前記ホイールアセンブリがそれぞれ、前記駆動輪にトルクを伝達するスロット付きモータハブを更に備える請求項２に記載のロボット真空掃除機。
【請求項４】
前記ホイールアセンブリがそれぞれ、前記モータハブを前記駆動輪に取り付けるスナップクリップを更に備える請求項３に記載のロボット真空掃除機。
【請求項５】
モータコントローラがそれぞれ、ホロノミック駆動機構を動作可能に構成するように、前記モータのそれぞれ１つを独立して制御する請求項１に記載のロボット真空掃除機。
【請求項６】
ロボット真空掃除機において、
ａ．前面、上面及び底面を有する本体と、
ｂ．前記本体の前面に配置された真空源と、
ｃ．前記本体に取り付けられた複数のセンサ素子であって、ロボット真空掃除機の上部に取り付けられたライダー（ＬＩＤＡＲ）を備えた複数のセンサ素子と、
ｄ．ホロノミック駆動機構を構成する、対角線上に配置された第１の対のホイールアセンブリと、対角線上に配置された第２の対のホイールアセンブリであって、ここで対角線上のそれぞれ対のホイールは同一線上の軸を有し、それぞれ、
ｉ．モータ、
ｉｉ．前記モータに接続された駆動輪、
ｉｉｉ．エンコーダ、及び
ｉｖ．モータコントローラ
を備えた複数のホイールアセンブリと、
ｅ．前記駆動輪の動きに対応する前記モータコントローラからのオドメトリデータ、及び複数のセンサからのデータを受信し、前記受信したオドメトリデータと前記複数のセンサからのデータに基づいて、ホイールアセンブリに対して電子ナビゲーション制御を行う主コントローラと、ここで
ｆ．ロボット真空掃除機は、割り当てられた向きを維持しながら、所定の方向に走行し、及び異なる方向に移動することができるように構成されている、
を備えるロボット真空掃除機。
【請求項７】
前記ホイールアセンブリがそれぞれ、前記モータが納まるモータポッドを更に備える請求項６に記載のロボット真空掃除機。
【請求項８】
前記ホイールアセンブリがそれぞれ、前記駆動輪にトルクを伝達するスロット付きモータハブを更に備える請求項７に記載のロボット真空掃除機。
【請求項９】
前記ホイールアセンブリがそれぞれ、前記モータハブを前記駆動輪に取り付けるスナップクリップを更に備える請求項８に記載のロボット真空掃除機。
【請求項１０】
モータコントローラがそれぞれ、ホロノミック駆動機構を動作可能に構成するように、前記モータのそれぞれ１つを独立して制御する請求項９に記載のロボット真空掃除機。
【請求項１１】
ロボット真空掃除機において、
ａ．前面、上面及び底面を有する本体と、
ｂ．前記本体の前面に配置された真空源と、
ｃ．前記本体に取り付けられた複数のセンサ素子であって、ロボット真空掃除機の上部に取り付けられたライダー（ＬＩＤＡＲ）を備えた複数のセンサ素子と、
ｄ．ホロノミック駆動機構を構成する、対角線上に配置された第１の組のホイールアセンブリと、対角線上に配置された第２の組のホイールアセンブリであって、それぞれ、
ｉ．モータ、
ｉｉ．前記モータに接続された駆動輪、
ｉｉｉ．エンコーダ、及び
ｉｖ．モータコントローラ
を備えた複数のホイールアセンブリと、
ｅ．前記駆動輪の動きに対応する前記モータコントローラからのオドメトリデータ、及び複数のセンサからのデータを受信し、前記受信したオドメトリデータと前記複数のセンサからのデータに基づいて、ホイールアセンブリに対して電子ナビゲーション制御を行う主コントローラと、ここで
ｆ．ロボット真空掃除機は、割り当てられた向きを維持しながら、所定の方向に走行し、及び異なる方向に移動することができるように構成されている、
を備えるロボット真空掃除機。
【請求項１２】
前記ホイールアセンブリがそれぞれ、前記モータが納まるモータポッドを更に備える請求項１１に記載のロボット真空掃除機。
【請求項１３】
前記ホイールアセンブリがそれぞれ、前記駆動輪にトルクを伝達するスロット付きモータハブを更に備える請求項１２に記載のロボット真空掃除機。
【請求項１４】
前記ホイールアセンブリがそれぞれ、前記モータハブを前記駆動輪に取り付けるスナップクリップを更に備える請求項１３に記載のロボット真空掃除機。
【請求項１５】
モータコントローラがそれぞれ、ホロノミック駆動機構を動作可能に構成するように、前記モータのそれぞれ１つを独立して制御する請求項１１に記載のロボット真空掃除機。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
外周面に、軸方向に伸長し、かつ、径方向内方に凹んだ凹溝を有する、丸棒状の中間素材を得る予備成形工程と、
前記中間素材の外周面のうち、円周方向に関して前記凹溝の両側部分を拘束し、かつ、前記凹溝の内面を拘束しない状態で、前記中間素材の外周面のうち、径方向に関して前記凹溝と反対側の面に、軸方向に関する凹凸形状である歯成形用凹凸部を押し付けることにより、複数の素ラック歯を形成する歯成形工程と、および、
前記素ラック歯に仕上げ成形を施してラック歯とする仕上げ成形工程と、
を備える、ラックの製造方法。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
ガスを検出するためのセンサであって、
電極を含む電極アセンブリと、
前記電極アセンブリの電極間に配置されたガス吸着材料とを備え、前記ガス吸着材料は、
カーボンナノチューブと、
前記カーボンナノチューブに結合したポリマーコーティングされた金属ナノ粒子と
を含み、前記カーボンナノチューブは、カルボン酸官能基およびヒドロキシル官能基を実質的に含まない、センサ。
【請求項２】
前記電極アセンブリは、処理装置に動作可能に連結され、前記処理装置は、前記ガス吸着材料に吸着された気体分子から生じる、前記ガス吸着材料の抵抗率の変化を測定するように構成された、請求項１に記載のセンサ。
【請求項３】
前記センサは、０％〜８０％の相対湿度を有する周囲環境での動作中、１００ｐｐｍ以下の検出限界を有する、請求項２に記載のセンサ。
【手続補正書】
【提出日】令和3年3月19日(2021.3.19)
【手続補正１】
【補正対象書類名】特許請求の範囲
【補正対象項目名】請求項１８
【補正方法】変更
【補正の内容】
【請求項１８】
記録材上のトナー像を加熱する加熱回転体と、
第１のモータを有し、前記加熱回転体を回転駆動する第１の駆動部と、
前記加熱回転体の外周面に接触して前記加熱回転体を加熱するエンドレスベルトと、前記エンドレスベルトを回転可能に支持する第１及び第２の支持ローラと、を有するベルトユニットと、
前記エンドレスベルトの幅方向において前記エンドレスベルトが所定のゾーンから外れたことを検知する位置検知部と、
第２のモータを含む駆動部であって前記ベルトユニットを回動するための第２の駆動部を有し、前記位置検知部の出力に応じて前記エンドレスベルトを前記所定のゾーンへ戻す方向へ前記ベルトユニットを回動する回動機構と、
ジャムの発生を検知するジャム検知部と、
前記第１の駆動部の動作及び前記第２の駆動部の動作を制御するコントローラと、を有し、
前記コントローラは、前記ベルトユニットの回動動作中に前記ジャム検知部によりジャムの発生が検知された場合、前記ジャム検知部によりジャムの発生が検知されたことに応じて、前記第１の駆動部に対して前記加熱回転体の回転を停止させるための信号を出し、前記第２の駆動部に対して前記回動機構による回動動作を停止させるための信号を出すことを特徴とする画像加熱装置。
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
結着樹脂及び着色剤を含有するトナー粒子を有するトナーであって、
該着色剤が、下記式（１）で表される化合物を含有し、
該トナー粒子中の該化合物の結晶は、ＣｕＫα線を用いたＸ線回折スペクトルにおいて、回折角２θが５．０°以上６．０°以下の範囲に、半値幅が０．４００°以上０．４４０°以下の回折ピークを有することを特徴とするトナー。
【化１】
2018189947.tif 000001
（該式（１）中、Ｘ１及びＸ２は、それぞれ独立して、水素原子、塩素原子又はメチル基を示す。）
【請求項２】
前記半値幅が０．４１０°以上０．４４０°以下である請求項１に記載のトナー。
【請求項３】
前記半値幅が０．４１０°以上０．４３０°以下である請求項１又は２に記載のトナー。
【請求項４】
前記半値幅が０．４１５°以上０．４２５°以下である請求項１〜３のいずれか１項に記載のトナー。
【請求項５】
前記結着樹脂が、非晶性ポリエステル樹脂を含有する、請求項１〜４のいずれか１項に記載のトナー。
【請求項６】
前記トナー粒子が、結晶性ポリエステル樹脂を含有する、請求項１〜５のいずれか１項に記載のトナー。
【請求項７】
前記結晶性ポリエステル樹脂と前記式（１）で表される化合物の含有質量比（結晶性ポリエステル樹脂：式（１）で表される化合物）が、７５：２５〜３０：７０である請求項６に記載のトナー。
【請求項８】
前記結晶性ポリエステル樹脂が、炭素数６以上１２以下の脂肪族ジオール及びこれらの誘導体からなる群より選ばれた少なくとも１つの化合物を含有するアルコール成分と、炭素数６以上１２以下の脂肪族ジカルボン酸及びこれらの誘導体からなる群より選ばれた少なくとも１つの化合物を含有するカルボン酸成分との縮重合体である、請求項６又は７に記載のトナー。
【請求項９】
前記トナー粒子が、ポリオレフィンに飽和脂環式化合物由来の構造部位を有するスチレンアクリル樹脂がグラフト重合している重合体を含有する、請求項１〜８のいずれか１項に記載のトナー。
【請求項１０】
前記トナー粒子が、下記式（２）で表される化合物を含有する、請求項１〜９のいずれか１項に記載のトナー。
【化２】
2018189947.tif 000002
［式（２）中、Ｒ１、Ｒ２、Ｒ３、Ｒ６は、それぞれ独立して炭素数１〜２０個のアルキル基又は炭素数６〜１０個のアリール基を示し、Ｒ４、Ｒ５はそれぞれ独立して、炭素数６〜１０個のアリール基、炭素数１〜３０個のアシル基若しくは炭素数１〜２０個のアルキル基を示す、又は、Ｒ４とＲ５とが結合しており、Ｒ４とＲ５とが同時に結合している窒素原子と、Ｒ４と、Ｒ５と、が含まれる環式有機官能基を示す。］
【請求項１１】
トナー粒子を有するトナーの製造方法であって、
非晶性ポリエステル樹脂を含有する結着樹脂、下記式（１）で表される化合物を含有する着色剤、及び結晶性ポリエステル樹脂を含有する混合物を二軸押し出し機により溶融混練する溶融混練工程を含み、
該溶融混練工程における、該二軸押し出し機の溶融混練軸のニーディング部のバレル設定温度をＴａ（℃）とし、該結着樹脂の軟化温度をＴｍ（℃）としたときに、該Ｔａ及び該Ｔｍが、下記式（４）を満たすことを特徴とするトナーの製造方法。
−１０≦Ｔｍ−Ｔａ≦３０    （４）
【化３】
2018189947.tif 000003
（該式（１）中、Ｘ１及びＸ２は、それぞれ独立して、水素原子、塩素原子又はメチル基を示す。）
【手続補正書】
【提出日】令和3年4月8日(2021.4.8)
【手続補正１】
【補正対象書類名】特許請求の範囲
【補正対象項目名】請求項１２
【補正方法】変更
【補正の内容】
【請求項１２】
前記結晶性ポリエステル樹脂の重量平均分子量Ｍｗが、１８０００以上である請求項９〜１１のいずれか一項に記載のトナー。
【手続補正書】
【提出日】令和3年3月16日(2021.3.16)
【手続補正１】
【補正対象書類名】明細書
【補正対象項目名】０１６８
【補正方法】変更
【補正の内容】
【０１６８】
当然ながら、当業者であれば、その時々の要件や偶発的な要件を満足するために本発明の自転車のブレーキディスクアセンブリに様々な変更や変形を施すことができ、いずれにせよ、これらの変更や変形の全ては添付の特許請求の範囲により定まる保護範囲内に含まれる。
以下、本発明に含まれる態様を記す。
〔態様１〕ブレーキディスク（１１）と、
当該ブレーキディスク（１１）に連結される連結部（５４）を有するハブ本体（５０）とを備える自転車のブレーキディスクアセンブリ（１０）であって、
前記ハブ本体（５０）は、前記ハブ本体（５０）の軸方向端（５３）から異なる軸方向距離に配置された複数の停止領域（５６）が設けられた径方向外側部分（５５）を有し、
前記ブレーキディスク（１１）は中央部（１３）を有し、この中央部（１３）には、前記ハブ本体（５０）の前記連結部（５４）を少なくとも部分的に収容するように、かつ、回転中に前記ブレーキディスク（１１）を前記ハブ本体（５０）に固定しているように、開口が設けられ、
前記ブレーキディスク（１１）は、さらに、前記ハブ本体（５０）の前記停止領域（５６）のうちの１つに選択的に接触するように構成された突起（１６）を有するブレーキディスクアセンブリ（１０）。
〔態様２〕態様１に記載のブレーキディスクアセンブリ（１０）において、
前記ブレーキディスク（１１）は、円周方向に並びかつ等間隔に離間する複数の突起（１６）を有し、
前記ハブ本体（５０）は、各突起（１６）に対して、円周方向に並ぶ複数の停止領域（５６）を有するブレーキディスクアセンブリ（１０）。
〔態様３〕態様２に記載のブレーキディスクアセンブリ（１０）において、
円周方向に隣接するそれぞれ複数の停止領域（５６）からなる２組に属する２つの同一の停止領域（５６）間の角度方向距離が、前記円周方向に隣接する２つの突起（１６）間の角度方向距離と等しいブレーキディスクアセンブリ（１０）。
〔態様４〕態様２または３に記載のブレーキディスクアセンブリ（１０）において、
前記複数の突起（１６）が、同一の軸方向寸法を有するブレーキディスクアセンブリ（１０）。
〔態様５〕態様２から４のいずれか一態様に記載のブレーキディスクアセンブリ（１０）において、
前記複数の突起（１６）が、同一の円周方向寸法を有するブレーキディスクアセンブリ（１０）。
〔態様６〕態様１から５のいずれか一態様に記載のブレーキディスクアセンブリ（１０）において、
同一組の複数の停止領域（５６）のうち、軸方向最外側の停止領域（５６）と軸方向最内側の停止領域（５６）との間の距離の差が、約０．０２５ｍｍから約２．０００ｍｍの範囲にあるブレーキディスクアセンブリ（１０）。
〔態様７〕態様２から６のいずれか一態様に記載のブレーキディスクアセンブリ（１０）において、
各停止領域（５６）が、
前記突起（１６）のための挿入開口（５８）、
軸方向に方向付けられた少なくとも１つの肩部（５９）、および
前記ブレーキディスク（１１）の前記突起（１６）が接触するように構成された停止壁（５７）を有し、
複数の停止領域（５６）からなる同一組の各停止領域（５６）の前記停止壁（５７）が、好ましくは連なって配置されて単一の傾斜面（５７ａ）を形成し、
前記ブレーキディスク（１１）の前記突起（１６）が軸方向端（１６ａ）を有し、この軸方向端（１６ａ）が、好ましくは前記単一の傾斜面（５７ａ）に対する対の形状からなるブレーキディスクアセンブリ（１０）。
〔態様８〕態様７に記載のブレーキディスクアセンブリ（１０）において、
各停止領域（５６）が、
前記挿入開口（５８）と前記停止壁（５７）の間に延在する２つの肩部（５９，５９ａ）を有し、
前記２つの肩部（５９）は、互いに平行であり、かつ前記停止領域（５６）と係合するように構成された前記突起（１６）の円周方向長さと等しい距離で円周方向に離間しているか、または前記複数の停止領域（５６）の円周方向長さと等しい距離で円周方向に離間しているブレーキディスクアセンブリ（１０）。
〔態様９〕態様７または８に記載のブレーキディスクアセンブリ（１０）において、
複数の停止領域（５６）からなる同一組の各停止領域（５６）の前記停止壁（５７）が、互いに平行で異なる円周方向平面に沿って配置されているブレーキディスクアセンブリ（１０）。
〔態様１０〕態様８に記載のブレーキディスクアセンブリ（１０）において、
前記ブレーキディスク（１１）の前記突起（１６）は、前記中央部（１３）の前記開口（１５）の径方向内側に突出しており、前記肩部（５９）は、前記ブレーキディスク（１１）の前記中央部（１３）の軸方向寸法と少なくとも等しい距離にわたって軸方向に延びているブレーキディスクアセンブリ（１０）。
〔態様１１〕態様７または８に記載のブレーキディスクアセンブリ（１０）において、
前記突起（１６）が、前記中央部（１３）の前記開口（１５）の径方向外側に配置されているブレーキディスクアセンブリ（１０）。
〔態様１２〕態様１から１１のいずれか一態様に記載のブレーキディスクアセンブリ（１０）において、
前記突起（１６）は、前記ブレーキディスク（１１）の前記中央部（１３）から前記複数の停止領域（５６）に向かって軸方向に突出しているブレーキディスクアセンブリ（１０）。
〔態様１３〕態様１１に記載のブレーキディスクアセンブリ（１０）において、
前記ハブ本体（５０）は、前記停止領域（５６）の軸方向外側および径方向内側に延びる複数の溝（６１）が介在した複数の突条（６０）を備え、前記ブレーキディスク（１１）の前記中央部（１３）の前記開口（１５）が、前記ハブ本体（５０）の前記複数の突条（６０）および前記複数の溝（６１）に適合する複数の突条（６０）および複数の溝（６１）を備えるブレーキディスクアセンブリ（１０）。
〔態様１４〕自転車のブレーキディスク（１１）を連結するように構成された連結部（５４）を備える自転車のハブ本体（５０）であって、
前記連結部（５４）が、前記ハブ本体（５０）の端（５３）から異なる軸方向距離に配置された複数の停止領域（５６）が設けられた径方向外側部分（５５）を有し、
前記ハブ本体（５０）の前記停止領域（５６）が、前記ブレーキディスク（１１）の少なくとも１つの突起（１６）によって選択的に接触されるように構成されているハブ本体（５０）。
〔態様１５〕自転車のブレーキディスク（１１）であって、
ハブ本体（５０）の連結部（５４）を少なくとも部分的に収容するように、かつ、回転中に当該ブレーキディスク（１１）を前記ハブ本体（５０）に固定しているように、開口（１５）が設けられた中央部（１３）を備え、
当該ブレーキディスク（１１）が、さらに、前記ハブ本体（５０）の少なくとも１つの停止領域（５６）に選択的に接触するように構成された少なくとも１つの突起（１６）を備えるブレーキディスク（１１）。
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
眞空バルブシステムであって、
体積流量又は質量流量を制御し、及び／又は、プロセス体積をガス密にシールするための眞空バルブ（４０、４０’、４０”、４０”’）を備え、前記眞空バルブは、
・開口軸（１４）を規定する弁開口部（１２、４２）の周りに伸ばされる弁座と、
・前記弁開口部（１２、４２）を実質的にガス密方法で閉じるための弁閉鎖体（１３、４１）、特に弁体と、及び
・少なくとも２つのシール面（１５、１８、４５、４８）であって、
・前記少なくとも２つのシール面の第１シール面（１５、４５）が、前記弁座に設けられ、かつ前記弁開口部（１２、４２）の周りに伸ばされ、
・前記少なくとも２つのシール面の第２シール面（１８、４８）が、前記弁閉鎖体（１３、４１）に設けられ、かつ前記第１シール面（１５,４５）に対応して形成されている、
シール面（１５、１８、４５、４８）と、
・前記弁閉鎖体（１３、４１）に結合された駆動ユニット（１６）であって、その駆動ユニットは、前記弁閉鎖体（１３、４１）が、
・それぞれの弁開状態を提供するために、規定された方法で変更及び調整されることができ、かつ
・開位置（Ｏ）、そこにおいて前記弁閉鎖体（１３、４１）は前記弁開口部（１２、４２）を少なくとも部分的に開放する位置、から、閉位置、そこにおいて前記第２シール面（１８、４８）は前記第１シール面（１５、４５）の方向に押圧され且つ前記弁開口部（１２、４２）は実質的にガス密に閉じられる位置、へ移動可能である、
ような方法で設計されている駆動ユニット（１６）と、
を有し、
前記眞空バルブシステムは、光学的センサユニット（２０、３０、５０、６０、７０、８０）を有し、前記光学的センサユニット（２０、３０、５０、６０、７０、８０）は、
・光学的測定信号を検出するように設計されており、
・前記光学的センサユニット（２０、３０、５０、６０、７０、８０）の光検出軸は、前記シール面（１５、１８、４５、４８）の１つの少なくとも部分に対する前記測定信号が検出されうるような方法で配向されているように配設され、
前記測定信号は、前記弁閉鎖体（１３、４１）の試験位置において生成されうること、
を特徴とする、
前記眞空バルブシステム。
【請求項２】
前記シール面（１５、１８、４５、４８）の１つの少なくとも部分に対する前記測定信号は、前記弁閉鎖体（１３、４１）の特定の試験位置においてのみ発生させられうる、
ことを特徴とする、
請求項１に記載の眞空バルブシステム。
【請求項３】
前記眞空バルブ（４０、４０’、４０”、４０”’）は、外部環境から分離された真空領域を画定する、
ことを特徴とする、
請求項１又は２に記載の眞空バルブシステム。
【請求項４】
・前記光学的センサユニット（２０、３０、５０、６０、７０、８０）は、少なくとも部分的に前記真空領域内に配設され、且つ
・前記検出軸は、前記第２シール面（１８、４８）のための前記光学的測定信号を検出するために前記弁座の方向に向けられている、
ことを特徴とする、
請求項３に記載の眞空バルブシステム。
【請求項５】
前記眞空バルブ（４０、４０’、４０”、４０”’）は、少なくとも前記光学的測定信号に対して透過性の透過窓（２２、６２）を有する、
ことを特徴とする、
請求項１〜４の何れか１項に記載の眞空バルブシステム。
【請求項６】
前記光学的センサユニット（２０、３０、５０、６０、７０、８０）は、前記光学的測定信号が、前記透過窓（２２、６２）を介して前記光学的センサユニット（２０、３０、５０、６０、７０、８０）によって検出されるように前記外部環境に配設され、特に前記検出軸が前記透過窓（２２、６２）内にある、
ことを特徴とする、
請求項５に記載の眞空バルブシステム。
【請求項７】
前記透過窓（２２、６２）は、少なくとも２つのシール面（１５、１８、４５、４８）の１つの少なくとも一部分を形成する、
ことを特徴とする、
請求項５又は６に記載の眞空バルブシステム。
【請求項８】
前記光学的センサユニット（２０、３０、５０、６０、７０、８０）は、前記光学的測定信号を検出し且つ導くための光ファイバ（３１、５１、８１、８２）を備え、特に、前記光ファイバの少なくとも一部分、特にファイバ端部、が前記真空領域内に存在し、且つ少なくとも２つのシール面（１５、１８、４５、４８）の少なくとも１つに対する前記光学的測定信号を検出するように配設かつ配向されている、
ことを特徴とする、
請求項１〜７の何れか１項に記載の眞空バルブシステム。
【請求項９】
前記光学的センサユニット（２０、３０、５０、６０、７０、８０）は、前記弁閉鎖体（１３、４１）に接続され、特に前記弁閉鎖体（１３、４１）の少なくとも一部分に一体化されている、
ことを特徴とする、
請求項１〜８の何れか１項に記載の眞空バルブシステム。
【請求項１０】
前記光学的センサユニット（２０、３０、５０、６０、７０、８０）は、
・カメラ、
・赤外線検出器、特に近赤外線検出器、特にＮＩＲ分光器、
・散乱光センサ、及び／又は
・ラマン検出器
を有するビーム検出モジュール（２３、５３、６３、８３）を備えている、
ことを特徴とする、
請求項１〜９の何れか１項に記載の眞空バルブシステム。
【請求項１１】
前記眞空バルブシステムは、検出された測定信号が処理ユニットによって処理され、且つ前記検出された測定信号に基づいて状態情報が生成されうるように形成された前記処理ユニットを備えている、
ことを特徴とする、
請求項１〜１０の何れか１項に記載の眞空バルブシステム。
【請求項１２】
・前記状態情報は、前記第１又は第２シール面（１５、１８、４５、４８）の化学的、機械的、及び／又は、構造的完全性に関する情報を提供し、及び／又は
・前記状態情報は、画像処理によって、及び／又は、前記検出された測定信号の実際と目標の比較によって生成される、
ことを特徴とする、
請求項１１に記載の眞空バルブシステム。
【請求項１３】
前記状態情報に基づいて、材料組成及び／又は材料組成の変化が、少なくとも２つのシール面（１５、１８、４５、４８）の１つの少なくとも検出可能な部分について推定されうる、
ことを特徴とする、
請求項１１又は１２に記載の眞空バルブシステム。
【請求項１４】
前記状態情報は、
・前記少なくとも２つのシール面（１５、１８、４５、４８）の１つの少なくとも前記検出可能な部分の視覚的表現、特に前記シール面（１５、１８、４５、４８）の少なくとも前記検出可能な部分の画像として、又は
・分光測定信号、特に波長−強度曲線、を具現化するグラフ、又は
・前記検出された測定信号と特定の許容値との関係を特定する出力信号、
として生成される、
ことを特徴とする、
請求項１１〜１３の何れか１項に記載の眞空バルブシステム。
【請求項１５】
前記弁座は、
・前記眞空バルブに構造的に接続された前記眞空バルブの一部分によって形成されている、特に、前記弁座は、前記眞空バルブのハウジングに形成されている、又は
・プロセスチャンバ、特にチャンバハウジング、に備えられる、
ことを特徴とする、
請求項１〜１４の何れか１項に記載の眞空バルブシステム。
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
半導体パワーデバイスのオン・オフを制御するゲートドライバであって、第１の切替素子と、第２の切替素子と、を有し、前記第１の切替素子がオンの場合に前記半導体パワーデバイスをオンにする電源に出力端子が接続され、前記第２の切替素子がオンの場合に前記半導体パワーデバイスをオフにする電源に出力端子が接続される駆動回路を複数有する前記ゲートドライバと、
並列に接続された複数の前記駆動回路に対して、前記各駆動回路における第１の切替素子および第２の切替素子のいずれか一方をオンにし且つ他方をオフに制御する制御部であって、前記半導体パワーデバイスをオンとオフとの間で切り替える場合に発生するサージ電圧およびスイッチング損失の少なくとも一方に基づいて、前記ゲートドライバの中に複数ある前記駆動回路の切替素子をオンにする個数を時間経過に応じて制御する制御部と、
を備えたことを特徴とするゲート駆動装置。
【請求項２】
前記半導体パワーデバイス内部の配線に起因する寄生インダクタンスにより発生する前記サージ電圧およびスイッチング損失の少なくとも一方に基づいて、前記ゲートドライバの中で複数ある前記駆動回路の切替素子をオンにする個数を時間経過に応じて制御する制御部、
を備えたことを特徴とする請求項１に記載のゲート駆動装置。
【請求項３】
前記半導体パワーデバイスの周辺の回路の配線に起因する寄生インダクタンスにより発生する前記サージ電圧およびスイッチング損失の少なくとも一方に基づいて、前記ゲートドライバの中で複数ある前記駆動回路の切替素子をオンにする個数を時間経過に応じて制御する制御部、
を備えたことを特徴とする請求項１または２に記載のゲート駆動装置。
【請求項４】
前記半導体パワーデバイスの切り替えの後に発生する電圧の振動に基づいて、前記ゲートドライバの中で複数ある前記駆動回路の切替素子をオンにする個数を時間経過に応じて制御する前記制御部、
を備えたことを特徴とする請求項１ないし３のいずれかに記載のゲート駆動装置。
【手続補正２】
【補正対象書類名】明細書
【補正対象項目名】００１２
【補正方法】変更
【補正の内容】
【００１２】
前記技術的課題を解決するために、請求項１に記載の発明のゲート駆動装置は、
半導体パワーデバイスのオン・オフを制御するゲートドライバであって、第１の切替素子と、第２の切替素子と、を有し、前記第１の切替素子がオンの場合に前記半導体パワーデバイスをオンにする電源に出力端子が接続され、前記第２の切替素子がオンの場合に前記半導体パワーデバイスをオフにする電源に出力端子が接続される駆動回路を複数有する前記ゲートドライバと、
並列に接続された複数の前記駆動回路に対して、前記各駆動回路における第１の切替素子および第２の切替素子のいずれか一方をオンにし且つ他方をオフに制御する制御部であって、前記半導体パワーデバイスをオンとオフとの間で切り替える場合に発生するサージ電圧およびスイッチング損失の少なくとも一方に基づいて、前記ゲートドライバの中に複数ある前記駆動回路の切替素子をオンにする個数を時間経過に応じて制御する制御部と、
を備えたことを特徴とする。
【手続補正３】
【補正対象書類名】明細書
【補正対象項目名】００１３
【補正方法】変更
【補正の内容】
【００１３】
請求項２に記載の発明は、請求項１に記載のゲート駆動装置において、
前記半導体パワーデバイス内部の配線に起因する寄生インダクタンスにより発生する前記サージ電圧およびスイッチング損失の少なくとも一方に基づいて、前記ゲートドライバの中で複数ある前記駆動回路の切替素子をオンにする個数を時間経過に応じて制御する制御部、
を備えたことを特徴とする。
【手続補正４】
【補正対象書類名】明細書
【補正対象項目名】００１４
【補正方法】変更
【補正の内容】
【００１４】
請求項３に記載の発明は、請求項１または２に記載のゲート駆動装置において、
前記半導体パワーデバイスの周辺の回路の配線に起因する寄生インダクタンスにより発生する前記サージ電圧およびスイッチング損失の少なくとも一方に基づいて、前記ゲートドライバの中で複数ある前記駆動回路の切替素子をオンにする個数を時間経過に応じて制御する制御部、
を備えたことを特徴とする。
【手続補正５】
【補正対象書類名】明細書
【補正対象項目名】００１５
【補正方法】変更
【補正の内容】
【００１５】
請求項４に記載の発明は、請求項１ないし３のいずれかに記載のゲート駆動装置において、
前記半導体パワーデバイスの切り替えの後に発生する電圧の振動に基づいて、前記ゲートドライバの中で複数ある前記駆動回路の切替素子をオンにする個数を時間経過に応じて制御する前記制御部、
を備えたことを特徴とする。
【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
少なくとも基板を保護する保護部材を備える遊技機であって、
前記保護部材は、前記基板の前面側に位置する第１構成部材と、前記基板の後面側に位置する第２構成部材を有し、
前記基板には、前記第１構成部材または前記第２構成部材への取付に用いる第１貫通孔と第２貫通孔とが形成され、
前記第１貫通孔と前記第２貫通孔の周囲には、取付に関わる作業者が視認可能な識別部が設けられ、
前記第１貫通孔の周囲に設けられる第１の識別部と、前記第２貫通孔の周囲に設けられる第２の識別部は、異なる態様とされ、
前記第１の識別部と前記第２の識別部は、前記基板上に設けられた銅箔の有無もしくはシルク印刷の有無により識別可能に設けられている
ことを特徴とする遊技機。
【手続補正２】
【補正対象書類名】明細書
【補正対象項目名】０００７
【補正方法】変更
【補正の内容】
【０００７】
（解決手段）
少なくとも基板を保護する保護部材を備える遊技機であって、前記保護部材は、前記基板の前面側に位置する第１構成部材と、前記基板の後面側に位置する第２構成部材を有し、前記基板には、前記第１構成部材または前記第２構成部材への取付に用いる第１貫通孔と第２貫通孔とが形成され、前記第１貫通孔と前記第２貫通孔の周囲には、取付に関わる作業者が視認可能な識別部が設けられ、前記第１貫通孔の周囲に設けられる第１の識別部と、前記第２貫通孔の周囲に設けられる第２の識別部は、異なる態様とされ、前記第１の識別部と前記第２の識別部は、前記基板上に設けられた銅箔の有無もしくはシルク印刷の有無により識別可能に設けられていることを特徴とする遊技機。
また、本発明とは別の発明として、以下の手段を参考的に開示する。
（解決手段１）
基板が収容される基板ボックスを備える遊技機であって、前記基板ボックスは、前記基板を被覆するように第１部材と第２部材とを少なくとも含む複数の構成部材により構成され、前記基板に設けられる複数の貫通孔は、前記第１部材に当該基板がネジで螺着される第１貫通孔と、前記第１部材と前記第２部材とを螺着するネジが挿通される第２貫通孔と、を有し、前記基板は、前記第１貫通孔を示す螺着指示部を有することを特徴とする遊技機。
【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
少なくとも基板を保護する保護部材を備える遊技機であって、
前記保護部材は、前記基板の前面側に位置する第１構成部材と、前記基板の後面側に位置する第２構成部材を有し、
前記基板には、前記第１構成部材または前記第２構成部材への取付に用いる第１貫通孔と第２貫通孔とが形成され、
前記第１貫通孔と前記第２貫通孔の周囲には、取付に関わる作業者が視認可能な識別部が設けられ、
前記第１貫通孔の周囲に設けられる第１の識別部と、前記第２貫通孔の周囲に設けられる第２の識別部は、異なる態様とされる
ことを特徴とする遊技機。
【手続補正２】
【補正対象書類名】明細書
【補正対象項目名】０００４
【補正方法】変更
【補正の内容】
【０００４】
ところで、遊技機に備える各種基板には、基板ボックスに収容されているものもあるため、基板を基板ボックスに収容するための作業を行う必要があり、作業効率の向上が求められていた。
【手続補正３】
【補正対象書類名】明細書
【補正対象項目名】０００５
【補正方法】変更
【補正の内容】
【０００５】
本発明は、このような事情に鑑みてなされたものであり、その目的とするところは、作業効率の向上に寄与することができる遊技機を提供することにある。
【手続補正４】
【補正対象書類名】明細書
【補正対象項目名】０００７
【補正方法】変更
【補正の内容】
【０００７】
（解決手段）
少なくとも基板を保護する保護部材を備える遊技機であって、前記保護部材は、前記基板の前面側に位置する第１構成部材と、前記基板の後面側に位置する第２構成部材を有し、前記基板には、前記第１構成部材または前記第２構成部材への取付に用いる第１貫通孔と第２貫通孔とが形成され、前記第１貫通孔と前記第２貫通孔の周囲には、取付に関わる作業者が視認可能な識別部が設けられ、前記第１貫通孔の周囲に設けられる第１の識別部と、前記第２貫通孔の周囲に設けられる第２の識別部は、異なる態様とされることを特徴とする遊技機。
また、本発明とは別の発明として、以下の手段を参考的に開示する。
（解決手段１）
電子部品が実装される基板を備える遊技機であって、前記基板の表面側を覆うように配置される導電性の第１シールド板と、前記基板の裏面側を覆うように配置される導電性の第２シールド板と、前記基板の裏面側のグランドと前記第２シールド板とを電気的に接続する第１接続部と、前記第１シールド板と前記第２シールド板とを電気的に接続する第２接続部と、を有することを特徴とする遊技機。
【手続補正５】
【補正対象書類名】明細書
【補正対象項目名】００１５
【補正方法】変更
【補正の内容】
【００１５】
本発明の遊技機においては、作業効率の向上に寄与することができる。
【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
ヒーターと、
第１カップを保温する保温部材と、
前記保温部材を支持する装置本体と
を具備し、
前記装置本体と前記保温部材との間には、ガス保持空間が設けられており、
前記ガス保持空間内のガスは、前記ヒーターによって加熱され、
前記ガス保持空間内のガスは、前記保温部材の壁部を介して前記第１カップ内の飲食物を保温する
カップ保温装置。
【請求項２】
前記保温部材は、前記第１カップを収容可能な第１凹部と、第２カップを収容可能な第２凹部とを備える
請求項１に記載のカップ保温装置。
【請求項３】
前記保温部材の上方に配置される第１アタッチメント部材を更に具備し、
前記第１アタッチメント部材は、
前記第１カップを支持する第１支持部と、
前記第１カップが挿入される第１挿入孔と
を具備する
請求項１または２に記載のカップ保温装置。
【請求項４】
前記ガス保持空間は、前記装置本体の筐体部と前記保温部材とによって囲まれた空間であり、
前記保温部材は、前記筐体部の開口を塞ぐ蓋部材として機能する
請求項１乃至３のいずれか一項に記載のカップ保温装置。
【請求項５】
カップ保温装置を用いた飲食物保温方法であって、
前記カップ保温装置は、
ヒーターと、
第１カップを収容可能な第１凹部を有する保温部材と、
前記保温部材を支持する装置本体と
を具備し、
前記飲食物保温方法は、
前記第１カップの下側部分を前記第１凹部内に配置する配置工程と、
前記第１カップの底壁と、前記保温部材の底壁とが離間した状態で、前記第１カップ内の飲食物を保温する保温工程と
を具備する
飲食物保温方法。
【請求項６】
前記装置本体と前記保温部材との間には、ガス保持空間が設けられており、
前記保温工程は、
前記ガス保持空間内のガスを前記ヒーターにより加熱する工程と、
前記ガス保持空間内のガスが、前記保温部材の壁部を介して、前記第１カップ内の飲食物を保温する工程と
を有する
請求項５に記載の飲食物保温方法。
【請求項７】
前記保温部材は、第２カップを収容可能な第２凹部を備え、
前記ガス保持空間内のガスは、前記保温部材の壁部を介して、前記第１カップ内の飲食物と、前記第２カップ内の飲食物とを同時に保温する
請求項６に記載の飲食物保温方法。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
設定される調光モードに従って、撮像デバイスによる観察対象の撮像に関する調光の制御を行う調光制御部を備え、
前記調光モードには、少なくとも、第１の追従速度で調光を制御する第１の調光モードと、前記第１の追従速度よりも追従速度が遅い第２の追従速度で調光を制御する第２の調光モードとが含まれ、
前記調光制御部は、
前記撮像デバイスにおける撮像に関する動作の変化に基づいて前記第１の調光モードを設定し、
前記第１の調光モードに従って制御を行っているときに、所定の条件を満たしたと判定した場合に、前記第２の調光モードを設定する、医療用調光制御装置。
【請求項２】
前記調光制御部は、前記調光の制御として、前記撮像デバイスの露光時間の制御、前記撮像デバイスにより撮像された医療用撮像画像を示す画像信号のゲインの制御、前記観察対象に照明光を照射する光源の制御のうちの、一部または全部を行う、請求項１に記載の医療用調光制御装置。
【請求項３】
前記調光制御部は、前記第１の調光モードに従った制御による調光が終了したときに、前記所定の条件を満たしたと判定する、請求項１または２に記載の医療用調光制御装置。
【請求項４】
前記調光制御部は、前記第１の調光モードに従った制御が開始されてから所定の時間が経過したときに、前記所定の条件を満たしたと判定する、請求項１〜３のいずれか１つに記載の医療用調光制御装置。
【請求項５】
前記第２の調光モードは、前記第１の調光モードよりも、前記観察対象の明るさの変化が生じたときに前記調光の制御を開始するタイミングが遅い調光モードである、請求項１〜４のいずれか１つに記載の医療用調光制御装置。
【請求項６】
前記第２の調光モードは、前記第１の調光モードよりも、単位時間あたりの前記観察対象の明るさの変化が小さい調光モードである、請求項１〜５のいずれか１つに記載の医療用調光制御装置。
【請求項７】
前記第２の調光モードは、前記観察対象の明るさを変化させない調光モードである、請求項６に記載の医療用調光制御装置。
【請求項８】
前記調光制御部は、
前記撮像デバイスにおける撮像に関する動作の変化が検出されたときに、前記第１の調光モードに従った制御を開始し、
前記所定の条件を満たしたと判定されるまで、前記第１の調光モードに従った制御を行う、請求項１〜７のいずれか１つに記載の医療用調光制御装置。
【請求項９】
前記調光制御部は、所定の操作に基づいて、前記第２の調光モードを設定する機能を有効化し、または前記機能を無効化する、請求項１〜８のいずれか１つに記載の医療用調光制御装置。
【請求項１０】
前記調光制御部は、設定されている調光モードを通知させる、請求項１〜９のいずれか１つに記載の医療用調光制御装置。
【請求項１１】
複数のリンクが関節部によって互いに連結されて構成されるアームと、
前記アームにより支持されている前記撮像デバイスと、
をさらに備える、請求項１〜１０のいずれか１つに記載の医療用調光制御装置。
【請求項１２】
患者の体内に挿入され、前記体内を前記観察対象として撮像する前記撮像デバイスをさらに備える、請求項１〜１０のいずれか１つに記載の医療用調光制御装置。
【請求項１３】
設定される調光モードに従って、撮像デバイスによる観察対象の撮像に関する調光の制御を行うステップを有し、
前記調光モードには、少なくとも、第１の追従速度で調光を制御する第１の調光モードと、前記第１の追従速度よりも追従速度が遅い第２の追従速度で調光を制御する第２の調光モードとが含まれ、
前記制御を行うステップでは、
前記撮像デバイスにおける撮像に関する動作の変化に基づいて前記第１の調光モードが設定され、
前記第１の調光モードに従って制御を行っているときに、所定の条件を満たしたと判定された場合に、前記第２の調光モードが設定される、医療用調光制御装置により実行される調光制御方法。
【手続補正書】
【提出日】令和3年1月22日(2021.1.22)
【手続補正１】
【補正対象書類名】特許請求の範囲
【補正対象項目名】請求項１
【補正方法】変更
【補正の内容】
【請求項１】
遊技区間として、通常区間と有利区間とを有し、
通常区間では、ストップスイッチの有利な操作態様を報知せず、
有利区間では、ストップスイッチの有利な操作態様を報知する場合を有し、
有利区間の終了に伴う第１初期化処理では、所定の記憶手段の第１の記憶領域を初期化可能とし、
設定変更に伴う第２初期化処理では、所定の記憶手段の第２の記憶領域を初期化可能とし、
第１の記憶領域は、第２の記憶領域に含まれ、
リプレイに対応する図柄組合せが停止表示しなかった遊技において、通常区間から有利区間への移行契機を満たした場合には、有利区間であることを示す試験信号を出力するための処理を実行してから所定期間が経過した後に、遊技価値が投入可能であることを示す試験信号を出力するための処理を実行可能とする
ことを特徴とする遊技機。
【手続補正２】
【補正対象書類名】明細書
【補正対象項目名】０００１
【補正方法】変更
【補正の内容】
【０００１】
本発明は、試験信号を出力可能な遊技機に関するものである。
【手続補正３】
【補正対象書類名】明細書
【補正対象項目名】０００２
【補正方法】変更
【補正の内容】
【０００２】
従来の遊技機において、ＢＢ中、ＲＢ中、リプレイゲーム中をそれぞれ示すＢＢ中信号、ＲＢゲーム中信号、リプレイゲーム中信号により、その時点の遊技状態を特定可能とすることが知られている（たとえば、特許文献１参照）。
【手続補正４】
【補正対象書類名】明細書
【補正対象項目名】０００３
【補正方法】変更
【補正の内容】
【０００３】
【特許文献１】特開２０１８−０１１８６４号公報
【手続補正５】
【補正対象書類名】明細書
【補正対象項目名】０００４
【補正方法】変更
【補正の内容】
【０００４】
しかし、従来の技術において、有利区間中であるか否かを試験機において識別することができなかった。
本発明が解決しようとする課題は、有利区間中であるか否かを試験機に対して正確に知らせることである。
【手続補正６】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
本発明は、
遊技区間として、通常区間と有利区間とを有し、
通常区間では、ストップスイッチ（４２）の有利な操作態様を報知せず、
有利区間では、ストップスイッチの有利な操作態様を報知する場合を有し、
有利区間の終了に伴う第１初期化処理では、所定の記憶手段（ＲＷＭ５３）の第１の記憶領域を初期化可能とし、
設定変更に伴う第２初期化処理では、所定の記憶手段の第２の記憶領域を初期化可能とし、
第１の記憶領域は、第２の記憶領域に含まれ、
リプレイに対応する図柄組合せが停止表示しなかった遊技において、通常区間から有利区間への移行契機を満たした場合には、有利区間であることを示す試験信号を出力するための処理（図３０３のステップＳ２９９６、及び図３０４のステップＳ３００２の処理）を実行してから所定期間（図２９５のステップＳ２８６２及びＳ２８６３の処理に要する期間）が経過した後に、遊技価値（メダル）が投入可能であることを示す試験信号を出力するための処理（図３０３のステップＳ２９９３及びＳ２９９４、並びに図３０４のステップＳ３００２の処理）を実行可能とする
ことを特徴とする。
【手続補正７】
【補正対象書類名】明細書
【補正対象項目名】０００６
【補正方法】変更
【補正の内容】
【０００６】
本発明によれば、有利区間中であるか否かを試験機に対して正確に知らせることができる。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
遊技盤に形成された遊技領域に向けて遊技球を発射することによって遊技を行う遊技機において、
前記遊技球が所定の検知手段で検知されたことに基づいて取得される取得情報が、遊技者の利益が異なる第１情報、第２情報、および第３情報の何れであるかを判定する判定手段と、
前記判定手段による判定結果を示唆する示唆演出を実行可能な演出実行手段と
を備え、
前記第１情報は前記第２情報よりも遊技者の利益が大きく、該第２情報は前記第３情報よりも遊技者の利益が大きくなっており、
前記示唆演出の内容は、複数の対象がゴールへの着順を競い合うレースであり、該複数の対象のうち遊技者と対応付けられた特定対象が１着になることで前記第１情報である旨を示唆し、前記特定対象が２着になることで前記第２情報である旨を示唆し、前記特定対象が３着になることで前記第３情報である旨を示唆すると共に、
前記判定手段による判定結果が前記第２情報である場合の前記示唆演出では、前記特定対象と最終的に３着となる前記対象とを前記ゴールの直前で競い合わせ、該特定対象が辛うじて先に前記ゴールに到達することにより、前記第２情報である旨を示唆することが可能である
ことを特徴とする遊技機。
【請求項２】
請求項１に記載の遊技機において、
前記判定手段による判定結果が前記第２情報である場合の前記示唆演出では、前記特定対象が３番手から前記ゴールの直前で２番手の前記対象を追い抜いて辛くも２着に入ることにより、前記第２情報である旨を示唆することが可能である
ことを特徴とする遊技機。
【請求項３】
請求項１に記載の遊技機において、
前記判定手段による判定結果が前記第２情報である場合の前記示唆演出では、前記特定対象が２番手から前記ゴールの直前で３番手の前記対象の猛追を振り切って２着に入ることにより、前記第２情報である旨を示唆することが可能である
ことを特徴とする遊技機。
【手続補正２】
【補正対象書類名】明細書
【補正対象項目名】０００８
【補正方法】変更
【補正の内容】
【０００８】
上述した課題の少なくとも一部を解決するために、本発明の遊技機は次の構成を採用した。すなわち、
遊技盤に形成された遊技領域に向けて遊技球を発射することによって遊技を行う遊技機において、
前記遊技球が所定の検知手段で検知されたことに基づいて取得される取得情報が、遊技者の利益が異なる第１情報、第２情報、および第３情報の何れであるかを判定する判定手段と、
前記判定手段による判定結果を示唆する示唆演出を実行可能な演出実行手段と
を備え、
前記第１情報は前記第２情報よりも遊技者の利益が大きく、該第２情報は前記第３情報よりも遊技者の利益が大きくなっており、
前記示唆演出の内容は、複数の対象がゴールへの着順を競い合うレースであり、該複数の対象のうち遊技者と対応付けられた特定対象が１着になることで前記第１情報である旨を示唆し、前記特定対象が２着になることで前記第２情報である旨を示唆し、前記特定対象が３着になることで前記第３情報である旨を示唆すると共に、
前記判定手段による判定結果が前記第２情報である場合の前記示唆演出では、前記特定対象と最終的に３着となる前記対象とを前記ゴールの直前で競い合わせ、該特定対象が辛うじて先に前記ゴールに到達することにより、前記第２情報である旨を示唆することが可能である
ことを特徴とする。
【手続補正３】
【補正対象書類名】明細書
【補正対象項目名】０００９
【補正方法】変更
【補正の内容】
【０００９】
上述した本発明の遊技機では、
前記判定手段による判定結果が前記第２情報である場合の前記示唆演出では、前記特定対象が３番手から前記ゴールの直前で２番手の前記対象を追い抜いて辛くも２着に入ることにより、前記第２情報である旨を示唆することが可能である
こととしてもよい。
【手続補正４】
【補正対象書類名】明細書
【補正対象項目名】００１０
【補正方法】変更
【補正の内容】
【００１０】
また、前述した本発明の遊技機では、
前記判定手段による判定結果が前記第２情報である場合の前記示唆演出では、前記特定対象が２番手から前記ゴールの直前で３番手の前記対象の猛追を振り切って２着に入ることにより、前記第２情報である旨を示唆することが可能である
こととしてもよい。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】